(57)【要約】【課題】シーソータイプの操作ノブの機能を無効化する場合に、低コストで実施することができるスイッチ装置を提供する。【解決手段】スイッチ装置１の機能を無効化する場合は、通常のプッシャーに代えてダミー用プッシャー１５をガイド孔部４に挿入することにより操作ノブ１３の押圧方向に抜け止めするようにした。これにより、操作ノブ１３に対する揺動操作を１種類のダミー用プッシャー１５により禁止することができるので、複数のダミー用操作ノブを金型製作する場合に比較して、コストの大幅な低減を図ることができる。【選択図】図１
2014067527.tif 000002
【特許請求の範囲】
【請求項１】
ケースに揺動可能に支持されたシーソータイプの操作ノブと、
ガイド孔部に挿入され、前記操作ノブによる押圧方向に移動すると共にその押圧方向と反対方向へ前記ガイド孔部から抜け止めされたプッシャーと、
前記プッシャーの移動に応じてオンオフするスイッチ接点と、
前記プッシャーを介して前記操作ノブを中立位置に付勢状態で位置決めする付勢手段と、を備えたスイッチ装置において、
前記ガイド孔部に挿入されることにより当該ガイド孔部から突出した状態で前記操作ノブによる押圧方向へ係止される係止部を有したダミー用プッシャーを備え、
前記ダミー用プッシャーは、仕様に応じて前記プッシャーに代えて前記ガイド孔部に挿入されることを特徴とするスイッチ装置。
【請求項２】
前記ダミー用プッシャーの前記係止部は、当該ダミー用プッシャーの中心軸に向かって弾性変形可能な複数の弾性腕部の先端に前記中心軸を中心とした外径が前記ガイド孔部の内径よりも径大となるように設けられ、前記ガイド孔部に挿入された状態で当該ガイド孔部の周縁部に係止することを特徴とする請求項１記載のスイッチ装置。
【請求項３】
前記付勢手段はラバーシートのゴム接点であり、
前記スイッチ接点は、前記ゴム接点を含んで構成されていることを特徴とする請求項１または２記載のスイッチ装置。
【発明の詳細な説明】
【技術分野】
【０００１】
本発明は、シーソータイプの操作ノブに対する揺動操作に応じてプッシャーを介してスイッチ接点をオンオフするスイッチ装置に関する。
【背景技術】
【０００２】
図５はこの種のスイッチ装置を概略的に示している。ケース１０１内に配置された配線基板１０２上にはラバーシート１０３が装着されており、そのラバーシート１０３に設けられたゴム接点部１０４にプッシャー１０５が支持されている。プッシャー１０５はケース１０１に設けられたガイド孔部１０６に挿入されており、図示上方向に抜け止めされている。ケース１０１の軸部１０７には操作ノブ１０８が支持されており、操作ノブ１０８の押圧部１０９がプッシャー１０５の先端に当接している。操作ノブ１０８に対する揺動操作に応じてプッシャー１０５を介してゴム接点部１０４を弾性的に押圧することにより図示しないスイッチ接点がオンオフする。
【０００３】
例えば、上記構成のスイッチ装置を並設してスイッチユニットとして構成する場合、１枚の回路基板及び１枚のラバーシートに設けられたゴム接点部１０４により各スイッチ装置に対応したスイッチ接点を構成すると共に、スイッチ接点に対応した操作ノブ１０８を装着し、各操作ノブ１０８に対する揺動操作に応じてプッシャー１０５を介してゴム接点部１０４を押圧することにより対応するスイッチ接点をオンオフする。この場合、例えばスイッチユニットを搭載する車両の仕様により、スイッチユニット内の特定のスイッチ装置を無効化することがあり、そのような場合は、操作ノブ１０８の動きをスイッチ接点に伝達するためのプッシャー１０５を装着しないようにしている。つまり、操作ノブを揺動操作するにしても操作ノブ１０８によりプッシャー１０５が押圧されないので、スイッチ接点がオンオフしてしまうことを防止できる。
尚、このような技術は一般的な技術であることから、先行技術文献の記載を省略する。
【発明の概要】
【発明が解決しようとする課題】
【０００４】
ところで、プッシャー１０５を装着しないことによりスイッチ機能を無効化したスイッチ装置に通常の操作ノブ１０８をそのまま装着したのでは、プッシャー１０５が存在しないために操作ノブ１０８がぐらついてしまう。このため、図６に示すようにダミー用操作ノブ１１０を装着することでスイッチ機能の無効化を図っている。このダミー用操作ノブ１１０は、通常の操作ノブ１０８に対して揺動する両端部がケース１０１側に延長した形状をなしており、その延長部をケース１０１の表面に当接させることで揺動を禁止するようになっている。
しかしながら、操作ノブ１０８はスイッチ装置の仕様に応じて形状がそれぞれ異なることから、ダミー用操作ノブ１１０の種類だけ金型が必要となり、コスト高となる。
本発明は上記事情に鑑みてなされたもので、その目的は、シーソータイプの操作ノブの機能を無効化する場合に、低コストで実施することができるスイッチ装置を提供することにある。
【課題を解決するための手段】
【０００５】
本発明のスイッチ装置は、ケースに揺動可能に支持されたシーソータイプの操作ノブと、ガイド孔部に挿入され、前記操作ノブによる押圧方向に移動すると共にその押圧方向と反対方向へ前記ガイド孔部から抜け止めされたプッシャーと、前記プッシャーの移動に応じてオンオフするスイッチ接点と、前記プッシャーを介して前記操作ノブを中立位置に付勢状態で位置決めする付勢手段と、を備えたスイッチ装置において、
前記ガイド孔部に挿入されることにより当該ガイド孔部から突出した状態で前記操作ノブによる押圧方向へ係止される係止部を有したダミー用プッシャーを備え、前記ダミー用プッシャーは、仕様に応じて前記プッシャーに代えて前記ガイド孔部に挿入されるものである。
【発明の効果】
【０００６】
本発明によれば、操作ノブを揺動操作すると、操作ノブによりプッシャーが押圧方向に移動し、それに伴ってスイッチ接点がオンオフする。例えば仕様によりスイッチ装置の機能を無効化する場合は、ダミー用プッシャーをガイド孔部に挿入する。すると、ダミー用プッシャーがガイド孔部に挿入された状態では、係止部によりダミー用プッシャーが操作ノブによる押圧方向へ係止されるので、ダミー用プッシャーにより操作ノブの揺動操作が禁止される。この場合、１種類のダミー用プッシャーを金型製作するだけで異なる仕様のスイッチ装置に対して適用することができるので、ダミー用操作ノブを仕様に応じて金型製作する場合に比較して低コストで実施することができる。
【図面の簡単な説明】
【０００７】
【図１】本発明の一実施形態におけるダミー用プッシャーの装着状態で示すスイッチ装置の破断面図
【図２】プッシャーの装着状態で示す図１相当図
【図３】ダミー用プッシャーの斜視図
【図４】ガイド孔部に挿入されたダミー用プッシャーを示す断面図
【図５】従来技術を示す図２相当図
【図６】ダミー用操作ノブの装着状態を示す図５相当図
【発明を実施するための形態】
【０００８】
以下、本発明の一実施形態について図１ないし図４を参照して説明する。
スイッチ装置を破断して示す図２において、スイッチ装置１の筐体をなすケース２の高さ方向の中間部には当該ケース２内を横断する仕切部３が一体形成されており、その仕切部３に上方を指向する２個の円筒形状のガイド孔部４が一体形成されている。ガイド孔部４には先端部が半球形状のプッシャー５が下方から挿入されており、そのプッシャー５の先端部がガイド孔部４から上方に突出している。プッシャー５の基端部には鍔部５ａが形成されており、その鍔部５ａがガイド孔部４の下端周縁部に係止されることでプッシャー５が上方向に対して抜け止めされている。
【０００９】
仕切部３には下方に複数のリブ３ａが立設されており、そのリブ３ａに載置されるように回路基板６が配設されている。この場合、回路基板６は、表面の部品搭載面がラバーシート７（付勢手段に相当）で被われた状態で配設されている。このラバーシート７にはドーム状をなす２個のゴム接点部８が設けられており、そのゴム接点部８がプッシャー５の鍔部５ａに付勢状態で当接している。各ゴム接点部８は、円柱状部８ａと、この円柱状部８ａを支持する弾性変形可能なスカート状部８ｂとが一体形成されており、その円柱状部８ａの下面に可動接点９が設けられている。回路基板６の上面において、可動接点９と対向する部位には図示しない一対の固定接点１０が設けられており、それらの可動接点９と一対の固定接点１０によりスイッチ接点が構成されている。
【００１０】
ケース２の底面開口部にはコネクタ部１１が装着されている。コネクタ部１１は回路基板６の裏面に当接しており、これにより回路基板６がケース２内で位置決めされている。回路基板６の固定接点１０はコネクタ部１１のターミナル１２と接続されており、ターミナル１２を通じてスイッチ接点からのオンオフ信号が出力される。
【００１１】
ケース２の上面は開口しており、その開口部にシーソータイプの操作ノブ１３が装着されている。この場合、操作ノブ１３は、ケース２に一体に設けられた軸部２ａに孔部１３ａが係合することでケース２の上端部に揺動可能に支持されている。操作ノブ１３の下面側には押圧部１４が一体形成されており、その押圧部１４の下端にプッシャー５の先端部が当接している。プッシャー５の鍔部５ａはラバーシート７のゴム接点部８により下方から付勢されているので、操作ノブ１３は、図２に示す中立位置に付勢状態で位置決めされている。尚、操作ノブ１３の表面には所定の意匠が印刷されている。
【００１２】
さて、上記構成のスイッチ装置１を複数並設することによりスイッチユニットを構成する場合は、ケース、ラバーシート、回路基板、コネクタ部は共通部品として設けることになる。つまり、例えば３個のスイッチ装置１を有したスイッチユニットを構成する場合は、共通のケース内を横断する仕切部に６個のガイド孔部４を一体形成し、共通のラバーシートに６個のゴム接点部８及び可動接点９を一体形成し、共通の回路基板に三対の固定接点１０を形成し、それらのラバーシート、共通のケースに回路基板を収容した状態で共通のコネクタ部を装着すると共に３個のスイッチ装置１に対応して３個の操作ノブ１３を装着することになる。このような構成のスイッチユニットにおいて、仕様に応じて特定のスイッチ装置１を無効化する場合は、従来は揺動操作が禁止される形状のダミー用操作ノブをケースに装着するようにしていたが、それではダミー用操作ノブの種類だけ金型が必要となり、コスト高となる。また、プッシャー５により押さえられていたラバーシートのゴム接点部８が浮き上がってしまうので、振動でゴム接点部８がばたついて異音が発生する。
【００１３】
そこで、本実施形態では、ダミー用操作ノブに代えてダミー用プッシャーを装着することでスイッチ装置１の機能を無効化するようにした。
図３は、ダミー用プッシャーを示している。ダミー用プッシャー１５は、通常のプッシャー５と先端部以外は同一形状であり、長手方向の長さが同一であると共に基端部に鍔部１５ａを有した形状に形成されている。ダミー用プッシャー１５は、先端がダミー用プッシャー１５の中心軸に向かって弾性変形可能な例えば４個の弾性腕部１５ｂを有すると共に、それらの弾性腕部１５ｂの先端部にダミー用プッシャー１５の中心軸を中心とする円錐形状の一部からなる係止部１５ｃを有した形状をなしている。この場合、ダミー用プッシャー１５の中心軸を中心とした４個の係止部１５ｃの最大外径はガイド孔部４の内径よりも径大となるように設定されている。
【００１４】
さて、スイッチユニットを構成するスイッチ装置１の全ての機能を有効化する場合は、全てのガイド孔部４の背面側からプッシャー５を挿入する。これに対して、スイッチユニットの仕様により特定のスイッチ装置１の機能を無効化する場合は、その無効化するスイッチ装置１に対応したガイド孔部４にダミー用プッシャー１５を挿入する。この場合、プッシャー５をガイド孔部４の背面側から挿入する手順と同様にして、ダミー用プッシャー１５をガイド孔部４の背面側から挿入するので、スイッチユニットの組み立て手順を変更する必要はない。ダミー用プッシャー１５をガイド孔部４に挿入すると、ダミー用プッシャー１５の先端に設けられた係止部１５ｃがガイド孔部４の内周面により押圧されるので、弾性腕部１５ｂがダミー用プッシャー１５の中心軸に向かって弾性変形した状態で進行し、図４に示すように係止部１５ｃがガイド孔部４から突出したところで弾性腕部１５ｂが拡開して係止部１５ｃがガイド孔部４の上端周縁部に係止する。これにより、ダミー用プッシャー１５はガイド孔部４に対して下方向、つまり操作ノブ１３による押圧方向へ抜け止めされるようになる。そして、スイッチユニットのケース２の背面側に共通のラバーシート、共通の回路基板及び共通のコネクタ部を組み付けた後、ケース２の上面開口部に、機能させるスイッチ装置１に対応して通常の操作ノブ１３を装着すると共に機能させないスイッチ装置１に対して意匠が印刷されていない操作ノブ１３を装着することによりスイッチユニットを組み立てることができる。この場合、ダミー用プッシャー１５の軸方向の長さ寸法は通常のプッシャー５と同一であることから、操作ノブ１３がケース２に装着された形態では、図１に示すようにダミー用プッシャー１５の先端が操作ノブ１３の押圧部１４に当接した状態となっているので、ダミー用操作ノブに対する揺動操作が禁止される。一方、ダミー用プッシャー１５の鍔部１５ａはラバーシート７のゴム接点部８に当接しているので、ゴム接点部８はダミー用プッシャー１５により押さえられた状態となっている。
そして、ユーザが機能させないスイッチ装置１に対応して設けられている操作ノブ１３を間違って揺動操作しようとすると、操作ノブ１３の揺動操作が禁止されているので、ユーザは、スイッチ装置１に対する操作が禁止されていることを認識するようになる。
【００１５】
このような実施形態によれば、次のような効果を奏することができる。
スイッチ装置１の機能を無効化する場合は、通常のプッシャー５に代えてダミー用プッシャー１５をガイド孔部４に挿入することにより操作ノブ１３の押圧方向に抜け止めするようにしたので、操作ノブ１３に対する揺動操作をダミー用プッシャー１５により禁止することができる。従って、１種類のダミー用プッシャー１５を金型により製作するだけで異なる仕様のスイッチ装置に対して適用することができるので、複数のダミー用操作ノブを金型製作する場合に比較して、コストの大幅な低減を図ることができる。
ラバーシート７のゴム接点部８をダミー用プッシャー１５で押さえることができるので、プッシャー５を省略する場合に対して、ラバーシート７がばたついて異音が発生することを防止できる。
【００１６】
（その他の実施形態）
本発明は、上記実施形態に限定されることなく、次のように変形または拡張できる。
ダミー用プッシャー１５の先端部の弾性腕部１５ｂ（係止部１５ｃ）の数は４個に限定されることなく、５個以上であってもよいし、２，３個であってもよい。
複数のスイッチ装置１が並設されたスイッチユニットに限定されることなく、１つのスイッチ装置１の機能をダミー用プッシャー１５により無効化するようにしてもよい。
ダミー用プッシャー１５としては、プッシャー５の先端部をガイド孔部４よりも僅かに径大となる円錐形状（弾性特性は無し）に形成し、ガイド孔部４に圧入状態で挿入し、ガイド孔から突出した先端部がガイド孔部４に係止することでガイド孔部４に対して抜け止めするようにしてもよい。
【符号の説明】
【００１７】
図面中、１はスイッチ装置、２はケース、４はガイド孔部、５はプッシャー、７はラバーシート７（付勢手段）、９は可動接点（スイッチ接点）、１０は固定接点（スイッチ接点）、１３は操作ノブ、１５はダミー用プッシャーである。
【図１】
2014067527.tif 000003
【図２】
2014067527.tif 000004
【図３】
2014067527.tif 000005
【図４】
2014067527.tif 000006
【図５】
2014067527.tif 000007
【図６】
2014067527.tif 000008